(57)【要約】【課題】懐中電灯や脚立を使用しなくても一人でできて作業能率が向上し、作業コストも低廉になし得、しかも、安全に作業ができる誘導・非常灯の点灯点検器具を提供する。【解決手段】伸縮自在な支持棒１の先端に、光源部２と基端が該光源部２の先端に連接される操作部３とをそれぞれ支持棒１の中心軸線に沿って突設し、光源部２内に操作部３を照射する光源１１を配置し、操作部３は、透明な素材により成形され、短柱状をなす操作部本体１５と、操作部本体１５の一側に突設され引き下げ式の点検スイッチを操作するための挿通杆１６と、操作部本体１５の他側に設けられ前面押ボタン式の点検スイッチを操作するための第一突状部１８と、操作部本体１５の先端に設けられ下面押ボタン式の点検スイッチを操作するための第二突状部１９と、からなる構成とした。【選択図】  図３
2004252399.tif 000002
【特許請求の範囲】
【請求項１】
伸縮自在に設けられ所定の長さに伸びる支持棒の先端に、光源部と基端が該光源部の先端に連接され誘導・非常灯の点灯操作を行う操作部とをそれぞれ前記支持棒の中心軸線に沿って突設し、前記光源部内に前記操作部を照射する光源を配置し、前記操作部は、透明な素材により成形され、短柱状をなす操作部本体と、前記操作部本体の一側に突設され引き下げ式の点検スイッチを操作するための挿通杆と、前記操作部本体の他側に設けられ前面押ボタン式の点検スイッチを操作するための第一突状部と、前記操作部本体の先端に設けられ下面押ボタン式の点検スイッチを操作するための第二突状部と、からなることを特徴とする誘導・非常灯の点灯点検器具。
【請求項２】
伸縮自在に設けられ所定の長さに伸びる支持棒の先端に、光源部と基端が該光源部の先端に連接され誘導・非常灯の点灯操作を行う操作部とをそれぞれ前記支持棒の中心軸線に沿って突設し、前記光源部内に前記操作部を照射する光源を配置し、前記操作部は、透明な素材により成形され、短柱状をなす操作部本体と、前記操作部本体の先端に設けられ前面・下面押ボタン式の点検スイッチをそれぞれ操作するための球体部と、前記球体部の一側に突設され引き下げ式の点検スイッチを操作するための挿通杆と、からなることを特徴とする誘導・非常灯の点灯点検器具。
【請求項３】
前記操作部内にその長手方向に沿って基端が開口する空洞部を設けた請求項１又は２記載の誘導・非常灯の点灯点検器具。
【請求項４】
伸縮自在に設けられ所定の長さに伸びる支持棒の先端に、光源部と基端が該光源部の先端に連接され誘導・非常灯の点灯操作を行う操作部とをそれぞれ前記支持棒の中心軸線に沿って突設し、前記光源部内に前記操作部を照射する光源を配置し、前記操作部は、透明な素材により成形され、短柱状をなす操作部本体と、前記操作部本体の先端に設けられ前面・下面押ボタン式の点検スイッチをそれぞれ操作するための球体部と、前記球体部の一側に突設され引き下げ式の点検スイッチを操作するための挿通杆とからなり、前記操作部内にその長手方向に沿って基端が開口し奥端部が前記挿通杆部位に達する空洞部を設け、前記球体部内であって前記空洞部の奥端面と対向する部位および前記挿通杆内の先端部から該挿通杆の長手方向に沿いかつ前記球体部内の前記空洞部を除いてその反対側まで達する部位に前記空洞部と接する光ファイバーを埋設したことを特徴とする誘導・非常灯の点灯点検器具。
【請求項５】
伸縮自在に設けられ所定の長さに伸びる支持棒の先端に、光源部と基端が該光源部の先端に連接され誘導・非常灯の点灯操作を行う操作部とをそれぞれ前記支持棒の中心軸線に沿って突設し、前記光源部内に前記操作部を照射する光源を配置し、前記操作部は、透明な素材により成形される短柱状の操作部本体と、透明な素材により成形されると共に前記操作部本体の先端に設けられ前面・下面押ボタン式の点検スイッチをそれぞれ操作するための球体部と、前記球体部の一側面に突設され引き下げ式の点検スイッチを操作するための金属製の挿通杆と、からなることを特徴とする誘導・非常灯の点灯点検器具。
【請求項６】
前記操作部内にその長手方向に沿って基端が開口する空洞部を設けた請求項５記載の誘導・非常灯の点灯点検器具。
【請求項７】
前記操作部本体内にその長手方向に沿って基端と先端にわたり複数本の光ファイバーを埋設した請求項６記載の誘導・非常灯の点灯点検器具。
【請求項８】
伸縮自在に設けられ所定の長さに伸びる支持棒の先端に光源部を突設し、前記支持棒先端部の外周面に保持杆を添設し、前記保持杆に前記光源部より先端側に位置し誘導・非常灯の点灯操作を行う操作部を取着し、前記光源部内に前記操作部を照射する光源を配置してなり、前記操作部は、透明な素材により成形される短柱状の操作部本体と、透明な素材により成形されると共に前記操作部本体の先端に設けられ前面・下面押ボタン式の点検スイッチをそれぞれ操作するための球体部と、前記球体部の一側に突設され引き下げ式の点検スイッチを操作するための金属製の挿通杆と、からなることを特徴とする誘導・非常灯の点灯点検器具。
【請求項９】
前記金属製の挿通杆の外周面に銀メッキを施した請求項５乃至８のうちいずれか一つに記載の誘導・非常灯の点灯点検器具。
【請求項１０】
前記挿通杆の先端部の外周面に先端へ向かうに従い漸次窄まる円錐状部を成形した請求項１乃至９のうちいずれか一つに記載の誘導・非常灯の点灯点検器具。
【請求項１１】
所定の長さに伸びる支持棒の先端部に誘導・非常灯の点灯操作を行う操作部と該操作部およびその近傍を照らす光源部とを設け、前記操作部に引き下げ式の点検スイッチ用ひもの下端に取着される摘み片の環状部に挿通して該引き下げ式の点検スイッチを操作するための挿通杆と、押ボタン式の点検スイッチを押して操作するための突状部と、一側が開口すると共に内側の幅が前記摘み部の外形寸法よりも小さく設定され前記引き下げ式の点検スイッチ用ひもが挿通されるひも挿通部を設けたことを特徴とする誘導・非常灯の点灯点検器具。
【請求項１２】
前記操作部に前記支持棒の中心軸線に対しほぼ直交する作用板を設け、前記作用板の外周縁に入口から奥端部に進むに従い漸次幅の狭まる誘導溝部を設けると共にその奥端部に該誘導溝部と連通するようにして前記ひも挿通部を設けた請求項１１記載の誘導・非常灯の点灯点検器具。
【請求項１３】
前記操作部に前記支持棒の中心軸線に対しほぼ直交する作用板を設け、前記作用板における前記誘導・非常灯が取り付けられる壁面に接する外周縁に複数個のひも挿通部を連続して設けるようにした請求項１１又は１２記載の誘導・非常灯の点灯点検器具。
【請求項１４】
前記操作部に前記支持棒の中心軸線に対しほぼ直交する作用板を設け、前記作用板の上面にその外周縁に寄せて下面押ボタン式の点検スイッチを押して操作する突状部を設けるようにした請求項１１又は１２又は１３記載の誘導・非常灯の点灯点検器具。
【請求項１５】
伸縮自在に設けられ所定の長さに伸びる支持棒の先端に、光源部と基端が該光源部の先端に連接され誘導・非常灯の点灯操作を行う操作部とをそれぞれ前記支持棒の中心軸線に沿って突設し、前記光源部内に前記操作部を照射する光源を配置し、前記操作部は、透明な素材により成形され、短柱状をなす操作部本体と、前記操作部本体の先端に設けられ下面押ボタン式の点検スイッチを操作するための第三突状部と、前記操作部本体の一側に突設され引き下げ式の点検スイッチを操作するための挿通杆と、前記操作部本体の外周面に庇状に張設されかつ外周縁が外側へ張り出す弧状に成形される作用板と、からなり、前記作用板の外周縁には、入り口から奥端部に進む従い漸次幅の狭まる誘導溝部を設けると共にその奥端部に該誘導溝部と連通し前記引き下げ式の点検スイッチのひもが挿通されるひも挿通部を設けたことを特徴とする誘導・非常灯の点灯点検器具。
【請求項１６】
伸縮自在に設けられ所定の長さに伸びる支持棒の先端に、光源部と基端が該光源部の先端に連接され誘導・非常灯の点灯操作を行う操作部とをそれぞれ前記支持棒の中心軸線に沿って突設し、前記光源部内に前記操作部を照射する光源を配置し、前記操作部は、透明な素材により成形され、短柱状をなす操作部本体と、前記操作部本体の先端に設けられ下面押ボタン式の点検スイッチを操作するための第三突状部と、前記操作部本体の一側に突設され引き下げ式の点検スイッチを操作するための挿通杆と、前記操作部本体の外周面に庇状に張設されかつ外周縁が外側へ張り出す弧状に成形される作用板と、からなり、前記作用板の外周縁には、前記引き下げ式の点検スイッチのひもが挿通されるひも挿通部を設けたことを特徴とする誘導・非常灯の点灯点検器具。
【請求項１７】
前記操作部本体内にその長手方向に沿って基端が開口する空洞部を設けた請求項１５又は１６記載の誘導・非常灯の点灯点検器具。
【発明の詳細な説明】
【０００１】
【発明の属する技術分野】
本発明は、オフィスビル、ホテル、デパート等の建築物内に設置され、地震・火災などの緊急時に人を避難階段や避難口に誘導する誘導灯、周囲を照らす非常灯を点検するための誘導・非常灯の点灯点検器具（以下、単に点灯点検器具という。）に関するものである。
【０００２】
【従来の技術】
従来、オフィスビル、ホテル、デパート等であって、建築物内には、所定個所ごとに多くの誘導灯が設置されている。ところで、これら誘導灯は内蔵されるバッテリによって非常時に正常に機能するか否かの検査が定期的に行われる。一般に、前記誘導灯は壁面に設置され、また、この誘導灯には、点検のために例えば箱状の誘導灯本体の下面から垂下される点検スイッチ用ひもを引き下げるタイプ、同前面に突出する点検スイッチ用ボタンを押すタイプおよび同下面に突出する点検スイッチ用ボタンを押すタイプの三タイプが有る。
【０００３】
そして、点検作業は通常夜間に行われることが多く、一人の作業者が下から懐中電灯で前記誘導灯の点検スイッチ用のひもまたはボタンの部分を照らし、もう一人の作業者が脚立を誘導灯の下方に配置してその上に乗り、手で前記ひもを引いたり、ボタンを押したりして順次各誘導灯の点検を行うようにしている（例えば、特許文献１参照。）。
【０００４】
【特許文献１】
特開平１１−３２９０２８号公報（第２頁、図１）
【０００５】
【発明が解決しようとする課題】
しかしながら、前記点検には複数の作業者が必要になり、しかも、一人の作業者が懐中電灯で照らし、もう一人の作業者が脚立に乗って点検するなど面倒な手間と多くの時間が掛かり作業能率が悪く、作業コストも多く掛かっている。また、前記誘導灯が壁面の比較的高い位置に設置される傾向にあり、しかも、作業は夜間に行われると、不充分な照明で作業をしなければならないことから、作業者が誤って脚立から転落してけがをしたり、陳列商品を破損させるといった事故を起こす危険性がある。
【０００６】
そこで、本発明は上記課題に鑑みてなされたもので、懐中電灯や脚立を使用しなくても一人の作業者で行なえて作業能率が向上し、作業コストも低廉になし得、しかも、安全に作業ができる点灯点検器具を提供することを目的とするものである。
【０００７】
【課題を解決するための手段】
かかる目的を達成するために、本発明に係り請求項１記載の点灯点検器具は、伸縮自在に設けられ所定の長さに伸びる支持棒の先端に、光源部と基端が該光源部の先端に連接され誘導・非常灯の点灯操作を行う操作部とをそれぞれ前記支持棒の中心軸線に沿って突設し、前記光源部内に前記操作部を照射する光源を配置し、前記操作部は、透明な素材により成形され、短柱状をなす操作部本体と、前記操作部本体の一側に突設され引き下げ式の点検スイッチを操作するための挿通杆と、前記操作部本体の他側に設けられ前面押ボタン式の点検スイッチを操作するための第一突状部と、前記操作部本体の先端に設けられ下面押ボタン式の点検スイッチを操作するための第二突状部と、からなる構成とした。
【０００８】
また、請求項２記載の点灯点検器具のように、伸縮自在に設けられ所定の長さに伸びる支持棒の先端に、光源部と基端が該光源部の先端に連接され誘導・非常灯の点灯操作を行う操作部とをそれぞれ前記支持棒の中心軸線に沿って突設し、前記光源部内に前記操作部を照射する光源を配置し、前記操作部は、透明な素材により成形され、短柱状をなす操作部本体と、前記操作部本体の先端に設けられ前面・下面押ボタン式の点検スイッチをそれぞれ操作するための球体部と、前記球体部の一側に突設され引き下げ式の点検スイッチを操作するための挿通杆と、からなる構成も採られる。
【０００９】
請求項１又は２記載の点灯点検器具にあっては、請求項３記載のように前記操作部内にその長手方向に沿って基端が開口する空洞部を設けることが好ましい。
【００１０】
更に、請求項４記載の点灯点検器具のように、伸縮自在に設けられ所定の長さに伸びる支持棒の先端に、光源部と基端が該光源部の先端に連接され誘導・非常灯の点灯操作を行う操作部とをそれぞれ前記支持棒の中心軸線に沿って突設し、前記光源部内に前記操作部を照射する光源を配置し、前記操作部は、透明な素材により成形され、短柱状をなす操作部本体と、前記操作部本体の先端に設けられ前面・下面押ボタン式の点検スイッチをそれぞれ操作するための球体部と、前記球体部の一側に突設され引き下げ式の点検スイッチを操作するための挿通杆とからなり、前記操作部内にその長手方向に沿って基端が開口し奥端部が前記挿通杆部位に達する空洞部を設け、前記球体部内であって前記空洞部の奥端面と対向する部位および前記挿通杆内の先端部から該挿通杆の長手方向に沿いかつ前記球体部内の前記空洞部を除いてその反対側まで達する部位に前記空洞部と接する光ファイバーを埋設した構成も採られる。
【００１１】
更にまた、請求項５記載の点灯点検器具にように、伸縮自在に設けられ所定の長さに伸びる支持棒の先端に、光源部と基端が該光源部の先端に連接され誘導・非常灯の点灯操作を行う操作部とをそれぞれ前記支持棒の中心軸線に沿って突設し、前記光源部内に前記操作部を照射する光源を配置し、前記操作部は、透明な素材により成形される短柱状の操作部本体と、透明な素材により成形されると共に前記操作部本体の先端に設けられ前面・下面押ボタン式の点検スイッチをそれぞれ操作するための球体部と、前記球体部の一側面に突設され引き下げ式の点検スイッチを操作するための金属製の挿通杆と、からなる構成も採られる。
【００１２】
請求項５記載の点灯点検器具にあっては、請求項６記載のように前記操作部内にその長手方向に沿って基端が開口する空洞部を設けることが好ましい。また、請求項６記載の点灯点検器具にあっては、請求項７記載のように前記操作部本体内にその長手方向に沿って基端と先端にわたり複数本の光ファイバーを埋設することが好ましい。
【００１３】
また、請求項８記載の点灯点検器具のように、伸縮自在に設けられ所定の長さに伸びる支持棒の先端に光源部を突設し、前記支持棒先端部の外周面に保持杆を添設し、前記保持杆に前記光源部より先端側に位置し誘導・非常灯の点灯操作を行う操作部を取着し、前記光源部内に前記操作部を照射する光源を配置してなり、前記操作部は、透明な素材により成形される短柱状の操作部本体と、透明な素材により成形されると共に前記操作部本体の先端に設けられ前面・下面押ボタン式の点検スイッチをそれぞれ操作するための球体部と、前記球体部の一側に突設され引き下げ式の点検スイッチを操作するための金属製の挿通杆と、からなる構成も採られる。
【００１４】
請求項５乃至８のうちいずれか一つに記載の点灯点検器具にあっては、請求項９記載のように前記金属製の挿通杆の外周面に銀メッキを施すことが好ましい。また、請求項１乃至９のうちいずれか一つに記載の点灯点検器具にあっては、請求項１０記載のように前記挿通杆の先端部の外周面に先端へ向かうに従い漸次窄まる円錐状部を成形することが好ましい。
【００１５】
また、請求項１１記載の点灯点検器具のように、所定の長さに伸びる支持棒の先端部に誘導・非常灯の点灯操作を行う操作部と該操作部およびその近傍を照らす光源部とを設け、前記操作部に引き下げ式の点検スイッチ用ひもの下端に取着される摘み片の環状部に挿通して該引き下げ式の点検スイッチを操作するための挿通杆と、押ボタン式の点検スイッチを押して操作するための突状部と、一側が開口すると共に内側の幅が前記摘み部の外形寸法よりも小さく設定され前記引き下げ式の点検スイッチ用ひもが挿通されるひも挿通部を設けた構成が採られる。
【００１６】
この際、前記操作部に前記支持棒の中心軸線に対しほぼ直交する作用板を設け、前記作用板の外周縁に入口から奥端部に進むに従い漸次幅の狭まる誘導溝部を設けると共にその奥端部に該誘導溝部と連通するようにして前記ひも挿通部を設けるようにすることが好ましい。また、前記操作部に前記支持棒の中心軸線に対しほぼ直交する作用板を設け、前記作用板における前記誘導・非常灯が取り付けられる壁面に接する外周縁に複数個のひも挿通部を連続して設けるようにすることが好ましい。それらひも挿通部が設けられる作用板の外周縁は、壁面に接触するように直線的に成形されるかまたは外側へ張り出されるように成形される。これにより、ひも式点検スイッチを有する誘導・非常灯であり壁面と点検スイッチ用ひもとの間隔が非常に短い場合であっても、前記複数のひも挿通部が設けらた外周縁をその壁面に押し当てるのみで前記点検スイッチ用ひもがいずれかのひも挿通部に入り挿通されることとなり、この状態で操作部を下方へ引き下げれば前記点検スイッチ用ひもが簡単に引かれ操作できる。更に、前記操作部に前記支持棒の中心軸線に対しほぼ直交する作用板を設け、前記作用板の上面にその外周縁に寄せて下面押ボタン式の点検スイッチを押して操作する突状部を設けるようにすることが好ましい。これにより、下面に押しボタン式の点検スイッチを有する誘導・非常灯であり壁面と点検スイッチとの間隔が非常に短い場合でも、前記突状部を壁面に接近させて前記点検スイッチの真下に配置できることとなり、前記点検スイッチを容易に押すことができる。
【００１７】
具体的には、請求項１５記載の点灯点検器具のように、伸縮自在に設けられ所定の長さに伸びる支持棒の先端に、光源部と基端が該光源部の先端に連接され誘導・非常灯の点灯操作を行う操作部とをそれぞれ前記支持棒の中心軸線に沿って突設し、前記光源部内に前記操作部を照射する光源を配置し、前記操作部は、透明な素材により成形され、短柱状をなす操作部本体と、前記操作部本体の先端に設けられ下面押ボタン式の点検スイッチを操作するための第三突状部と、前記操作部本体の一側に突設され引き下げ式の点検スイッチを操作するための挿通杆と、前記操作部本体の外周面に庇状に張設されかつ外周縁が外側へ張り出す弧状に成形される作用板と、からなり、前記作用板の外周縁には、入り口から奥端部に進む従い漸次幅の狭まる誘導溝部を設けると共にその奥端部に該誘導溝部と連通し前記引き下げ式の点検スイッチのひもが挿通されるひも挿通部を設けた構成も採られる。
【００１８】
また、請求項１６記載の点灯点検器具のように、伸縮自在に設けられ所定の長さに伸びる支持棒の先端に、光源部と基端が該光源部の先端に連接され誘導・非常灯の点灯操作を行う操作部とをそれぞれ前記支持棒の中心軸線に沿って突設し、前記光源部内に前記操作部を照射する光源を配置し、前記操作部は、透明な素材により成形され、短柱状をなす操作部本体と、前記操作部本体の先端に設けられ下面押ボタン式の点検スイッチを操作するための第三突状部と、前記操作部本体の一側に突設され引き下げ式の点検スイッチを操作するための挿通杆と、前記操作部本体の外周面に庇状に張設されかつ外周縁が外側へ張り出す弧状に成形される作用板と、からなり、前記作用板の外周縁には、前記引き下げ式の点検スイッチのひもが挿通されるひも挿通部を設けた構成が採られる。
これらいずれの場合も、請求項１７記載のように前記操作部本体内にその長手方向に沿って基端が開口する空洞部を設けることが好ましい。
【００１９】
【発明の実施の形態】
次に、本発明に係る点灯点検器具の実施の形態を図面を参照して説明する。図１乃至図７は第一実施の形態に係る点灯点検器具を示すものである。図１は点灯点検器具の要部の斜視図、図２は同分解斜視図、図３は同断面図である。
【００２０】
点灯点検器具Ａ１は、伸縮自在に設けられ所定の長さに伸びる支持棒１と、前記支持棒１の先端に設けられる光源部２と、基端が光源部２に連接され後記する誘導灯Ｙの点灯点検試験を行う操作部３と、からなる。前記光源部２と操作部３とはそれぞれ支持棒１の中心軸線に沿って突設される。支持棒１は、図４に示すように伸縮自在な釣竿と同じく、太さの異なる三本の単杆１ａ，１ｂ，１ｃを伸縮自在に継ぎ足して連接され、最長約１．５〜２．８ｍに設定されている。一番細い単杆１ｃの先端は開放されその内周面に雌螺子部４が設けられている。
【００２１】
前記光源部２は、基端面と先端面が開放される金属製の円筒体５からなり、基端側と先端側の内周面に雌螺子部６ａ，６ｂが設けられている。７は、円筒体５の基端面を封止する底蓋部材であり、底板８の上下面に、それぞれ外周面に雄螺子部９ａ，１０ａを設けた上筒体９と下筒体１０が突設されている。そして、円筒体５の基端側の雌螺子部６ａに上筒体９の雄螺子部９ａを螺合し、前記単杆１ｃ先端の雌螺子部４に下筒体１０の雄螺子部１０ａを螺合することにより単杆１ｃの先端に光源部２が突設される。
【００２２】
そして、前記円筒体５内の先端側に、操作部３を照射する光源としてのＬＥＤ１１が固着され、基端側に位置する底蓋部材７内にスプリング１２が配置される。前記ＬＥＤ１１とスプリング１２との間には、該スプリング１２により常にＬＥＤ１１側へ不勢されるようにして複数の電池１３が列設される。円筒体５の外周面には、スイッチ１４が設けられ、このスイッチ１４を一度押すことによって前記ＬＥＤ１１が発光し、もう一度押すことによりＬＥＤ１１が消えるようになっている。
【００２３】
前記操作部３は、透明な素材により成形される。透明な素材としては、例えばガラス、水晶、アクリル樹脂があるが、本発明ではアクリル樹脂が用いられる。そして、短柱状の操作部本体１５の基端側の外周面に雄螺子部１５ａが設けられ、この雄螺子部１５ａを前記円筒体５の先端側の雌螺子部６ｂに螺合させることにより操作部本体１５が円筒体５に連接される。操作部本体１５の先端側の外周面の一側に、誘導灯Ｙにおけるひも式の点検スイッチを操作するための挿通杆１６が操作部本体１５に対し直交するようにして突設される。これは、挿通杆１６が支持棒１に対しても投影的に直交することになる。また、挿通杆１６の先端部の外周面には先端へ向かうに従い漸次窄まる円錐状部１７が成形されている。これは、先端部を尖らせて後記するＯリングｃに挿通し易くするためである。また、これにより後記するように挿通杆１６から出る光の方向が変えられ、円錐状部１７を明るくすることができ、先端部の位置が見易くなってＯリングｃに挿通杆１６を通し易くなる。なお、挿通杆１６が細くても作業に支障の生じない場合は、円錐状部１７を成形する必要はない。
【００２４】
前記操作部本体１５の先端側の外周面の他側に、前記挿通杆１６と同一軸線上に位置して誘導灯Ｙにおける前面の押ボタン式の点検スイッチを操作するための第一突状部１８が設けられる。また、前記操作部本体１５の先端面に、誘導灯Ｙにおける下面の押ボタン式の点検スイッチを操作するための第二突状部１９が設けられる。第一・第二突状部１８，１９は、これら先端面が外方へ突出する弧面に成形されると共にその周縁が湾曲して成形されている。前記操作部本体１５内には、その長手方向に沿って基端、すなわち前記ＬＥＤ１１側が開口し、奥端部が前記挿通杆１６部位に達する空洞部２０が設けられている。そこで、前記ＬＥＤ１１が発光すると、操作部３を照射し、光が空洞部２０内を進むと共に内周面に反射して操作部３全体を発光させ照明の機能を果たすこととなり、第一・第二突状部１８，１９、更には挿通杆１６の位置が解り易い。特に、挿通杆１６の先端部に円錐状部１７が成形されていると、この先端部では挿通杆１６内を通過してきた光がその円錐状の面から放射されるので、その向きが変わりよく光って位置が解り易い。ＬＥＤ１１が明るくて操作部３全体が見易ければ、空洞部２０を設ける必要もない。
【００２５】
第一実施の形態に係る点灯点検器具Ａ１は上記構成よりなり、次にその使用方法について説明する。通常、誘導灯Ｙは、図５乃至図７に示すように壁面Ｗに設置され、箱状の誘導灯本体Ｙ１の下面から垂下される点検スイッチ用ひもｂを引き下げるタイプ、この場合ひもｂの下端に摘み片であるＯリングｃが取着されている。同前面に突出する点検スイッチ用ボタンｄを押すタイプおよび同下面に突出する点検スイッチ用ボタンｅを押すタイプの三タイプがある。
【００２６】
そこで、誘導灯Ｙが、誘導灯本体Ｙ１の下面から垂下される点検スイッチ用ひもｂを引き下げるタイプの場合、作業者はスイッチ１４を押しＬＥＤ１１を点灯させて操作部３を発光させると共に各短杆１ａ〜１ｃを所定の長さに伸ばす。そして、図４、図５に示すように点検スイッチ用ひもｂ下端のＯリングｃに操作部３を近づけ、Ｏリングｃに挿通杆１６をその先端部から挿通させた状態で、支持棒１を下げて前記点検スイッチ用ひもｂを引っ張る。このようにして、誘導灯Ｙが内蔵されるバッテリによって点灯するか否かを点検する。正常に点灯すればもう一度点検スイッチ用ひもｂを引っ張って元の状態に戻しておく。この際、前記ＬＥＤ１１が発光すると、操作部３を照射し、光が空洞部２０内を進み操作部３全体を発光させて照明の機能を果たすこととなり、夜間で誘導灯Ｙが高く離れていても、前記Ｏリングｃや挿通杆１６の位置が解り易い。特に、挿通杆１６の先端部はよく光ることから、Ｏリングｃに挿通杆１６が挿通し易い。そして、このような作業は、一人で行なえ、しかも能率良く作業できる。また、ＬＥＤ１１は比較的多くの熱を発しないことから、操作部３が無用に熱くなることがなく安全である。
【００２７】
誘導灯Ｙが、誘導灯本体Ｙ１の前面に突出する点検スイッチ用ボタンｄを押すタイプの場合、前記と同様に作業者はスイッチ１４を押しＬＥＤ１１を点灯させて操作部３を発光させると共に各短杆１ａ〜１ｃを所定の長さに伸ばす。そして、図６に示すように誘導灯本体Ｙ１前面の点検スイッチ用ボタンｄに第一突状部１８を近づけ、当接した状態で、支持棒１を点検スイッチ用ボタンｄ側へ傾け、第一突状部１８により点検スイッチ用ボタンｄを押す。このようにして、誘導灯Ｙが内蔵されるバッテリによって点灯するか否かを点検する。正常に点灯すればもう一度押して元の状態に戻しておく。この際も、前記ＬＥＤ１１が発光すると、操作部３を照射し、この操作部３全体を発光させ照明の機能を果たすこととなり、夜間で誘導灯Ｙが高く離れていても、前記点検スイッチ用ボタンｄや第一突状部１８の位置が解り易く、点検スイッチ用ボタンｄが簡単に押せる。そして、この場合も、作業は一人で行なえ、しかも能率良く作業できる。
【００２８】
誘導灯Ｙが、誘導灯本体Ｙ１の下面に突出する点検スイッチ用ボタンｅ押すタイプの場合、前記と同様に作業者はスイッチ１４を押しＬＥＤ１１を点灯させて操作部３を発光させると共に各短杆１ａ〜１ｃを所定の長さに伸ばす。そして、図７に示すように誘導灯本体Ｙ１下面の点検スイッチ用ボタンｅに第二突状部１９を近づけ、当接した状態で、支持棒１を点検スイッチ用ボタンｅ側へ押し上げ第二突状部１９により点検スイッチ用ボタンｅを押す。このようにして、内蔵されるバッテリによって点灯するか否かを点検する。正常に点灯すればもう一度押して元の状態に戻しておく。この際も、前記ＬＥＤ１１が発光すると、操作部３を照射し、この操作部３全体を発光させ照明の機能を果たすことから、夜間で誘導灯Ｙが高く離れていても、前記点検スイッチ用ボタンｅや第二突状部１９の位置が解り易く、点検スイッチ用ボタンｅが簡単に押せることになる。そして、この場合も、作業は一人で行なえ、しかも能率良く作業できる。このように、誘導灯Ｙがいずれのタイプのものであっても、１つの点灯点検器具Ａ１のみで作業を行うことができ便利である。
【００２９】
図８は、第二実施の形態に係る点灯点検器具Ａ２の要部の断面図を示すものである。なお、支持棒１と光源部２は、第一実施の形態に係る点灯点検器具Ａ１と同一のものを使用するので、同一部位は同一番号を付すことにより詳しい説明は省略する。この点灯点検器具Ａ２の操作部２１は、前記透明な素材の内、透明なアクリル樹脂により成形される。そして、短柱状の操作部本体２２の先端に誘導灯Ｙにおける前面または下面の押ボタン式の点検スイッチをそれぞれ操作するための球体部２３が一体に設けられる。また、この球体部２３の一側に誘導灯Ｙにおけるひも式の点検スイッチを操作するための挿通杆２４が突設され、前記挿通杆２４の先端部に先端へ向かうに従い漸次窄まる円錐状部２５が成形されている。前記操作部本体２２内には、その長手方向に沿って基端、すなわちＬＥＤ１１側が開口し奥端部が前記挿通杆２４部位に達する空洞部２６が設けられる。前記操作部本体２２の基端側の外周面に円筒体５の先端に螺合する雄螺子部２２ａが設けられている。
【００３０】
そして、第一実施の形態に係る点灯点検器具Ａ１と同様にして各タイプの誘導灯Ｙについて点検ができる。すなわち、図５乃至図７で示した方法と同様に、Ｏリングｃに挿通杆２４をその先端部から挿通させた状態で、支持棒１を下げて点検スイッチ用ひもｂを引っ張る。また、球体部２３の一側面で誘導灯本体Ｙ１前面の点検スイッチ用ボタンｄを押す。更に、球体部２３の先端面で誘導灯本体Ｙ１下面の点検スイッチ用ボタンｄを押すようにする。このように、球体部２３で操作するので、実際にはその外周面のどの面を使用しても良く便利である。この場合も、ＬＥＤ１１が発光すると、操作部２１を照射し、光が空洞部２６内を進み操作部２１全体を発光させて照明の機能を果たすこととなり、夜間で誘導灯Ｙが高く離れていても、Ｏリングｃや各点検スイッチ用ボタンｄ，ｅおよび球体部２３、挿通杆２４の位置が解り易い。特に、挿通杆２４の先端部がよく光ることから、Ｏリングｃに挿通杆２４が挿通し易い。また、前記挿通杆２４先端部の円錐状部２５や空洞部２６は、操作部２１がＬＥＤ１１によって十分明るく使用に差し支えなければ設ける必要はない。
【００３１】
前記球体部２３内であって前記空洞部２６の奥端部と対向する部位と、前記挿通杆２４内の先端部から該挿通杆２４の長手方向に沿いかつ前記球体部２３内の前記空洞部２６を除いてその反対側まで達する部位に、前記空洞部２６と接する光ファイバー２７を埋設するようにすれば、その中を通過する光が光ファイバー２７に沿って直進することから、その先端側に光が集中し易い。よって、前記挿通杆２４先端部の円錐状部２５と、前記球体部２３であって前記各点検スイッチ用ボタンｄ，ｅを押す一側面および先端面とが一段と光り、その位置がさらに解り易くなる。
【００３２】
図９は、第三実施の形態に係る点灯点検器具Ａ３の要部の断面図を示すものである。なお、支持棒１と光源部２は、第一実施の形態に係る点灯点検器具Ａ１と同一のものを使用するので、同一部位は同一番号を付すことにより詳しい説明は省略する。この点灯点検器具Ａ３の操作部２８は、前記透明な素材の内、透明なアクリル樹脂により成形される短柱状の操作部本体２９の先端に、誘導灯Ｙにおける前面または下面の押ボタン式の点検スイッチを操作するため同じ透明なアクリル樹脂により成形される球体部３０が一体に設けられる。そして、球体部３０の一側面に誘導灯Ｙにおけるひも式の点検スイッチを操作するための金属製の挿通杆３１が突設されている。挿通杆３１は、くの字状に屈曲して成形され、その屈曲部が前記球体部３０から操作部本体２９の先端部に至るようにして埋設されている。
【００３３】
また、前記挿通杆３１の外部に露出する部分の外周面に銀メッキが施され、先端部に先端へ向かうに従い漸次窄まる円錐状部３２が成形されて構成される。前記操作部本体２９内には、その長手方向に沿って基端、すなわちＬＥＤ１１側が開口し奥端部が前記挿通杆３１部位に達する空洞部３３が設けられる。また、前記操作部本体２９内に、その長手方向に沿って基端と先端にわたり複数本の光ファイバー３４が埋設されている。前記操作部本体２９の基端側の外周面に円筒体５の先端に螺合する雄螺子部２９ａが設けられている。
【００３４】
そして、第一実施の形態に係る点灯点検器具Ａ１と同様にして各タイプの誘導灯Ｙについて点検ができる。すなわち、図５乃至図７で示した方法と同様にして、Ｏリングｃに挿通杆３１をその先端部から挿通させた状態で、支持棒１を下げて点検スイッチ用ひもｂを引っ張る。また、球体部３０の一側面で誘導灯本体Ｙ１前面の点検スイッチ用ボタンｄを押す。更に、球体部３０の先端面で誘導灯本体Ｙ１下面の点検スイッチ用ボタンｅを押すようにする。このように、球体部３０で操作するので、実際にはその外周面のどの面を使用しても良く便利である。この場合も、ＬＥＤ１１が発光すると、操作部２８を照射し、操作部２８全体を発光させ照明の機能を果たすこととなり、夜間で誘導灯Ｙが高く離れていても、Ｏリングｃや各点検スイッチ用ボタンｄ，ｅおよび球体部３０、挿通杆３１の位置が解り易い。特に、挿通杆３１の露出部を銀メッキすれば、その反射輝度が高くてよく光り、Ｏリングｃに挿通杆３１が挿通し易い。しかも、挿通杆３１が金属製であるので強度的に強く折れにくいという利点がある。また、操作部本体２９内に光ファイバー３４を埋設するようにすれば、その中を通過する光が光ファイバー３４に沿って直進することから、その先端側に光が集中し易く、球体部３０が一段と光って作業がし易くなる。なお、前記挿通杆３１先端部の円錐状部３２や空洞部３３は、操作部２８がＬＥＤ１１によって十分明るく使用に差し支えなければ設ける必要はない。
【００３５】
図１０は、第四実施の形態に係る点灯点検器具Ａ４の要部の断面図を示すものである。なお、支持棒１は、第一実施の形態に係る点灯点検器具Ａ１と同一のものを使用するので詳しい説明は省略する。光源部２ａは、ＬＥＤ１１が固着されている部分より先端側がない点以外は第一実施の形態に係る点灯点検器具Ａ１と同一であるので、同一部位は同一番号を付すことにより詳しい説明は省略する。単杆１ｃの一側に先端側へ伸びる金属製の保持杆３５が添設される。そして、保持杆３５の先端部に光源部２ａより先端側に位置し誘導灯Ｙの点灯点検試験を行う操作部３６が取着される。図示は省略するが、通常前記保持杆３５は単杆１ｃの先端部の外周面に接着剤により接着されると共にさらにその上から紐を巻いて固定される。また、保持杆３５の先端部は内側へ少し屈曲しており、操作部３６は、光源部２ａの中心軸線よりも多少外側へ外れた位置に配置されている。
【００３６】
前記操作部３６は、前記透明な素材の内、透明なアクリル樹脂により成形される短柱状の操作部本体３７と、同じ透明なアクリル樹脂により成形されると共に前記操作部本体３７の先端に設けられ前面・下面押ボタン式の点検スイッチをそれぞれ操作するための球体部３８と、この球体部３８の一側に突設され引き下げ式の点検スイッチを操作するための金属製の挿通杆３９と、からなる。挿通杆３９は外周面に銀メッキが施され、その先端部には先端へ向かうに従い漸次窄まる円錐状部４０が成形されている。そして、第一実施の形態に係る点灯点検器具Ａ１と同様にして各タイプの誘導灯Ｙについて点検ができる。すなわち、図５乃至図７で示した方法と同様にして、Ｏリングｃに挿通杆３９をその先端部から挿通させた状態で、支持棒１を下げて点検スイッチ用ひもｂを引っ張る。また、球体部３８の一側面で誘導灯本体Ｙ１前面の点検スイッチ用ボタンｄを押す。更に、球体部３８の先端面で誘導灯本体Ｙ１下面の点検スイッチ用ボタンｄを押すようにする。このように、球体部３８で操作するので、実際にはその外周面のどの面を使用しても良く便利である。
【００３７】
この場合も、ＬＥＤ１１が発光すると、操作部３６を照射し、操作部３６全体を発光させ照明の機能を果たすこととなり、夜間で誘導灯Ｙが高く離れていても、Ｏリングｃや各点検スイッチ用ボタンｄ，ｅおよび挿通杆３９および球体部３８の位置が解り易く、Ｏリングｃに挿通杆３９が挿通し易く、また各点検スイッチ用ボタンｄ，ｅも押し易い。また、挿通杆３９の外周面が銀メッキされておれば、その反射輝度が高いことから、挿通杆３９が良く光って作業がし易い。挿通杆３９や保持杆３５が金属製であると、強度的に強く折れにくいという利点もある。この場合も、前記挿通杆３９先端部の円錐状部４０は、操作部３６がＬＥＤ１１によって十分明るく使用に差し支えなければ設ける必要はない。
【００３８】
図１１乃至図１４は、第五実施の形態に係る点灯点検器具Ａ５を示すものであり、図１１は第五実施の形態に係る点灯点検器具の要部の斜視図、図１２は同断面図である。なお、支持棒１と光源部２は、第一実施の形態に係る点灯点検器具Ａ１と同一のものを使用するので、同一部位は同一番号を付すことにより詳しい説明は省略する。この点灯点検器具Ａ５の操作部４１も、前記透明な素材の内、透明なアクリル樹脂により成形される。そして、短柱状の操作部本体４２の先端に誘導灯Ｙにおける下面の押ボタン式の点検スイッチを操作するための第三突状部４３が一体に設けられる。この第三突状部４３は、先端に向かうに従い窄まりその先端面が平坦面４４に成形されている。また、その下側の操作部本体４２の一側に、誘導灯Ｙにおけるひも式の点検スイッチを操作するための挿通杆４５が操作部本体４２に対し直交するようにして突設される。この挿通杆４５の先端部に先端へ向かうに従い漸次窄まる円錐状部４６が成形されている。更に、前記挿通杆４５の下側であって操作部本体４２の外周面に、庇状に張設されかつ操作部本体４２に対し直交するようにして作用板４７が一体に設けられている。
【００３９】
前記作用板４７は、平面略円形状をなし外周縁が外側へ張り出す弧状に成形され、操作部本体４２が作用板４７の偏心位置に位置している。また、作用板４７の操作部本体４２から一番距離が短い外周縁位置に前記挿通杆４５がその外周縁から突出するようにして設けられ、これと対向する反対側の操作部本体４２から一番距離の長い外周縁に、前記点検スイッチ用ひもｂを導き入れる誘導溝部としての誘導大溝部４８が設けられる。この誘導大溝部４８は、開角度が約９０度をなすＶ形をなし入り口から奥端部に進む従い漸次幅の狭まるようになっており、その奥端部に狭窄溝４９を介して誘導大溝部４８と連通し前記点検スイッチ用ひもｂが挿通されるひも挿通部としてのひも挿通孔５０が設けられている。前記狭窄溝４９は点検スイッチ用ひもｂが通過し得る程度の幅を有し、ひも挿通孔５０は狭窄溝４９の幅より広い内径を有し点検スイッチ用ひもｂが余裕をもって挿通されるようになっている。ただ、ひも挿通孔５０の内径は、前記点検スイッチ用ひもｂの下端に取着されるＯリングｃが通過できない大きさである。
【００４０】
また、前記誘導大溝部４８の両側であって作用板４７の外周縁に、誘導溝部としての誘導切欠凹部５１が設けられる。この誘導切欠凹部５１も入り口から奥端部に進む従い漸次幅が狭まるようになっており、その奥端部に前記と同様に狭窄溝５２を介して誘導切欠凹部５１と連通し、前記点検スイッチ用ひもｂが挿通されるひも挿通部としてのひも挿通孔５３が設けられている。前記誘導大溝部４８に対応するひも挿通孔５０は、誘導切欠凹部５１に対応するひも挿通孔５３より作用板４７の外周縁から深い位置にある。更に、前記誘導大溝部４８と各誘導切欠凹部５１との間の作用板４７の外周縁に、前記点検用スイッチひもｂが挿通されるひも挿通部としてのひも挿通溝５４が設けられている。このひも挿通溝５４も、平面Ｖ形をなし入り口から奥端部に進む従い漸次幅が狭くなっており、点検スイッチ用ひもｂが余裕をもって挿通されるが、前記点検スイッチ用ひもｂの下端に取着されるＯリングｃが通過できない大きさになっている。また、前記誘導切欠凹部５１に対応するひも挿通孔５３は、前記ひも挿通溝５４より作用板４７の外周縁から深い位置にある。
【００４１】
このように、各ひも挿通孔５０，５３及びひも挿通溝５４によって作用板４７の外周縁からの深さが異なるのは、誘導灯Ｙによって壁面Ｗから点検スイッチ用ひもｂまでの距離がまちまちであり、接近している場合や離れている場合など場所によって使い分けし、能率よく点検作業が行なえるようにするためである。前記誘導大溝部４８や誘導切欠凹部５１の形状は、前記形に限られるものではなく、入り口から奥端部に進む従い漸次幅の狭まる形状であれば自由に選べる。同様に各ひも挿通孔５０，５３及びひも挿通溝５４の形状も自由に選べる。前記操作部本体４２は中実に成形したが、その中に基端が開放される空洞部を設けるようにしても良い。また、操作部本体４２の基端側の外周面には、前記円筒体５の先端に螺合する雄螺子部４２ａが設けられている。
【００４２】
この点灯点検器具Ａ５は、誘導灯Ｙが特に高い位置（天井までの高さが２．５〜４．５ｍ）に設置されている場合に威力を発揮するものであり、全長が約２．５ｍある。そして、例えば、高い位置に設置され、しかも、図１３に示すように点検スイッチ用ひもｂが備えられる誘導灯Ｙであって、その点検スイッチ用ひもｂが壁面Ｗから比較的離れている場合は、後記する場合も同様であるが、距離が離れていることから点検スイッチ用ひも下端のＯリングｃに挿通杆４５先端を通すのは、非常に難しい。そこで、第一実施の形態に係る点灯点検器具Ａ１と同様にＬＥＤ１１を発光させ、支持棒１を伸ばす。そして、灯誘導大溝部４８内にＯリングｃが下端に取着された点検スイッチ用ひもｂを誘導しつつその奥端部のひも挿通孔５０に挿通させる。この状態で、支持棒１を下げて前記点検スイッチ用ひもｂを引っ張り点検を行なう。この際、前記Ｏリングｃがひも挿通孔５０の裏面に当接してその抜け止めの働きをなす。前記狭窄溝５２の幅は、ひも挿通孔５０の内径よりも小さいので、点検スイッチ用ひもｂが容易に抜け出るようなことがなく、この引張作業がし易い。
【００４３】
また、図１４に示すように点検スイッチ用ひもｂが壁面Ｗから余り離れておらず、前記誘導大溝部４８ではその入り口が壁面Ｗに支えてしまうような場合は、前記点検スイッチ用ひもｂを誘導切欠凹部５１内に誘導しつつその奥端部のひも挿通孔５３に挿通させる。そして、この状態で、支持棒１を下げて前記点検スイッチ用ひもｂを引っ張る。更に、図示は省略するが、点検スイッチ用ひもｂが壁面Ｗからほとんど離れておらず、前記誘導切欠凹部５１ではその入り口が壁面Ｗに支えてしまうような場合は、作用板４７の外周縁を壁面Ｗに接触させ、ひも挿通溝５４内に前記点検スイッチ用ひもｂを誘導し、この状態で、支持棒１を下げて前記点検スイッチ用ひもｂを引っ張る。この際、ひも挿通溝５４を含めた作用板４７の外周縁が外側へ張り出す弧状に成形されていることから、前記ひも挿通溝５４内に点検スイッチ用ひもｂが入り易い。なお、前記挿通杆４５と第三突状部４３の使用方法は、第一実施の形態に係る点灯点検器具Ａ１の場合と同じなので、その説明は省略する。このように、点検スイッチ用ひもｂの壁面Ｗからの距離で誘導大溝部４８、誘導切欠凹部５１、ひも挿通溝５４を使い分けするなど作用板４７の周囲３６０度が利用できるようになっているので、天井が高くてもワンタッチで簡単に点検ができる。
【００４４】
この場合も、ＬＥＤ１１が発光すると、操作部４１を照射し、光が操作部本体４２内を進み操作部４１全体を発光させて照明の機能を果たすこととなり、夜間で誘導灯Ｙが高く離れていても、Ｏリングｃや点検スイッチ用ボタンｅおよび第三突状部４３、挿通杆４５、作用板４７の位置が解り易い。特に、作用板４７は透明であって光るから、前記誘導大溝部４８、誘導切欠凹部５１、ひも挿通溝５４が見易い。また、挿通杆４５の先端部もよく光ることから、Ｏリングｃに挿通杆４５が挿通し易い。第五実施の形態にあっては、作用板４７に前記誘導大溝部４８、誘導切欠凹部５１、ひも挿通溝５４のすべてを設けるようにしたが、一つの作用板４７にいずれか一つを設けて、複数の操作部４１を準備するようにしても良い。
【００４５】
図１５乃至図１８は、第六実施の形態に係る点灯点検器具Ａ６を示すものであり、図１５は第六実施の形態に係る点灯点検器具の要部の斜視図、図１６は同要部の断面図である。なお、この第六実施の形態に係る点灯点検器具Ａ６は、第五実施の形態に係る点灯点検器具Ａ５と構成が似ている。このため、点灯点検器具Ａ５と同一部位は同一番号を付すことにより詳しい説明は省略する。この点灯点検器具Ａ６の操作部５５も、前記透明な素材の内、透明なアクリル樹脂により成形される。そして、短柱状の操作部本体４２の先端に誘導灯Ｙにおける下面の押ボタン式の点検スイッチを操作するため突状部としての第三突状部４３が一体に設けられる。この第三突状部４３は、先端に向かうに従い窄まりその先端面が平坦面４４に成形されている。また、その下側の操作部本体４２の一側に、誘導灯Ｙにおけるひも式の点検スイッチを操作するための挿通杆４５が操作部本体４２に対し直交するようにして突設される。この挿通杆４５は金属製であって、その先端部に先端へ向かうに従い漸次窄まる円錐状部４６が成形されている。挿通杆４５は、前記透明なアクリル樹脂など他の素材であってもよいが、金属製の場合はその外周面に銀メッキを施すようにしても良い。更に、前記挿通杆４５の下側であって操作部本体４２の外周面に、庇状に張設されかつ操作部本体４２、すなわち支持棒１の中心軸線に対しほぼ直交するようにして作用板５６が一体に設けられている。
【００４６】
前記作用板５６はその外周縁が平面略台形状をなしており、操作部本体４２が略台形状の作用板５６における寸法の短い上辺５６ａに寄った側のほぼ中央部に位置している。この上辺５６ａはやや丸みを持たせて成形され、前記操作部本体４２に設けられる挿通杆４５が前記上辺５６ａに対しほぼ直交しその上辺５６ａから突出するようになっている。これと対向する反対の下辺５６ｂ側には前記点検スイッチ用ひもｂを導き入れる誘導溝部としての誘導大溝部４８が設けられる。この誘導大溝部４８は、開角度が約１２０度をなすＶ形をなし入り口から奥端部に進む従い漸次幅の狭まるようになっており、その奥端部に狭窄溝４９を介して誘導大溝部４８と連通し前記点検スイッチ用ひもｂが挿通されるひも挿通部としてのひも挿通孔５０が設けられている。前記狭窄溝４９は点検スイッチ用ひもｂが通過し得る程度の幅を有し、ひも挿通孔５０は狭窄溝４９の幅より広い内径を有すると共に点検スイッチ用ひもｂが余裕をもって挿通されるようになっている。ただ、ひも挿通孔５０の内径は、前記点検スイッチ用ひもｂの下端に取着される摘み片であるＯリングｃの外形寸法よりも小さく設定され、Ｏリングｃが通過できない大きさとなっている。
【００４７】
また、一方の斜辺５６ｃにひも挿通部であるひも挿通溝５４が複数個（図では４個）連続し連なって設けられている。それらひも挿通溝５４が設けられる斜辺５６ｃは、ほぼ直線的に成形されている。なお、この斜辺５６ｃは外側へ弧状に張り出されるように成形しても良い。各ひも挿通溝５４は、平面Ｖ形をなし入り口から奥端部に進む従い漸次幅が狭くなっており、一側が開口すると共に内側の幅が摘み片であるＯリングｃの外形寸法よりも小さく設定され、点検スイッチ用ひもｂが余裕をもって挿通されるが、前記点検スイッチ用ひもｂの下端に取着される前記Ｏリングｃは通過できない大きさになっている。また、作用板５６の前記一方の斜辺５６ｃと誘導大溝部４８との間であってその先端部に先鋭に成形された突状部である第四突状部５７が設けられる。この第四突状部５７は前面に押しボタン式の点検スイッチを有する誘導灯Ｙに使用され、前記第四突状部５７を点検スイッチ用ボタンｄにその前側から当ててそのまま押すことができるようになっている。
【００４８】
一方、前記作用板５６におけるひも挿通溝５４が設けられた斜辺５６ｃとは反対側の斜辺５６ｄと誘導大溝部４８との間であってその先端外周縁５８は弧状に湾曲して成形されている。また、その上面にその先端外周縁５８に寄せて下面の押ボタン式の点検スイッチを操作するための突状部としての第五突状部５９が一体に突設されている。この第五突状部５９は、上面に立設する支持体６０とこの先端に一体に設けられほぼ球状をなす押圧部６１とからなる。この押圧部６１は作用板５６を平面的に見た場合、その外周縁の一部が前記弧状に湾曲した先端外周縁５８に接するように配置されている。また、第五突状部５９の作用板５６上面から先端までの長さは前記第三突状部４３の同じ長さよりも長く設定され、点検スイッチ用ボタンｅが押し易くなっている。そこで、下面に押しボタン式の点検スイッチを有する誘導灯Ｙであって、壁面Ｗと前記点検スイッチとの間隔が短い場合でも、前記第五突状部５９を壁面Ｗに接近させて前記点検スイッチの真下に配置できることとなる。
【００４９】
この点灯点検器具Ａ６も、誘導灯Ｙが特に高い位置（天井までの高さが２．５〜４．５ｍ）に設置されている場合に威力を発揮するものであり、全長が約２．５ｍある。そこで、挿通杆４５、第三突条部４３、ひも挿通孔５０の使用方法については、前記点検点灯器具Ａ５で説明したので、他の個所の使用方法について説明する。図１７に示すように点検スイッチ用ひもｂが壁面Ｗからほとんど離れていない場合は、作用板５６の外周縁であって前記複数個のひも挿通溝５４が連続して設けられる斜辺５６ｃを使用する。すなわち、前記斜辺５６ｃを壁面Ｗに接触させていずれかのひも挿通溝５４内に前記点検スイッチ用ひもｂを誘導する。そして、この状態で支持棒１を引き下げると、前記点検スイッチ用ひもｂの下端に取着されたＯリングｃがひも挿通溝５４に下側で引っ掛り、前記点検スイッチ用ひもｂが引っ張られる。この際、複数のひも挿通溝５４を設けた斜辺５６ｃが壁面Ｗにぴったり合うように直線的に設けられていることから、前記点検スイッチ用ひもｂがほとんどいずれかのひも挿通溝５４内に入ることになる。
【００５０】
また、図１８に示すように下面に押しボタン式の点検スイッチ用ボタンｅを有する誘導灯Ｙであって、壁面Ｗと前記点検スイッチ用ボタンｅとの間隔が非常に短い場合は、前記第三突状部４３では挿通杆４５または作用板５６が邪魔になることから使用できず、前記第五突状部５９を使用する。すなわち、その球状の押圧部６１を壁面Ｗすれすれまで接近させ前記点検スイッチ用ボタンｅの真下に置くことができるので、そのまま第五突状部５９により点検スイッチ用ボタンｅを上方へ押すことができる。なお、前記したように作用板５６の第四突状部５７は、前面に押しボタン式の点検スイッチを有する誘導灯Ｙに使用され、前記点検スイッチ用ボタンｄをその前側から押して操作する。
【００５１】
第六実施の形態における点検点灯器具Ａ６の場合も、ＬＥＤ１１が発光すると、操作部５５およびその近傍を照らし、光が操作部本体４２内を進み操作部５５全体を発光させて照明の機能を果たすこととなり、夜間で誘導灯Ｙが高く離れていても、Ｏリングｃや点検スイッチ用ボタンｅおよび第三突状部４３、挿通杆４５、作用板５６の位置・形状が解り易い。特に、作用板５６は透明であってその周端面が光るから、前記誘導大溝部４８、ひも挿通孔５０、ひも挿通溝５４が見易い。また、挿通杆４５の先端部もよく光ることから、Ｏリングｃに挿通杆４５が挿通し易い。図示は省略するが、この場合も第一実施の形態で説明したように前記操作部本体４２内にその長手方向に沿って基端が開口する空洞部を設けるようにしても良い。これにより、ＬＥＤ１１の光が空洞部の内周面に反射して操作部５５全体を発光させて照明の機能を果す。また、作用板５６に前記誘導大溝部４８およびひも挿通孔５０、ひも挿通溝５４、第四・第五突状部５７，５９のすべてを設けるようにしたが、一つの作用板５６にいずれか一つを設けて、複数の操作部を準備するようにしても良い。
【００５２】
前記第一乃至第六実施の形態において、操作部３，２１，２８，３６，４１，５５はいずれも透明なアクリル樹脂が使用されると説明したが、暗い現場で作業するという条件では透明体が本発明を達成するに一番良いからである。よって、使用可能であれば半透明といった透光性の素材を使用しても良く、更には、仮に作業する現場が光源を必要としないほど明るければ、強いて前記操作部３，２１，２８，３６，４１，５５を透明にする必要はなく非透光性の素材を選ぶようにしても良い。また、各実施の形態で説明した点検スイッチ用ひもとは、例えば麻、ワイヤー、鎖などどんな素材のものであっても良く、いわゆる可撓性のあるひも状のものを広く含むものである。
【００５３】
第一乃至第四実施の形態に係る点灯点検器具Ａ１〜Ａ４は、誘導灯Ｙが比較的低い位置（例えば、天井までの高さが２．０〜３．０ｍ）に設置されている場合に使用され、全長が約１．５ｍある。そこで、通常これらの内の一つ、例えば第二実施の形態に係る点灯点検器具Ａ２と第五実施の形態係る点灯点検器具Ａ５を組み合せれば、ほとんどの誘導灯Ｙについての点検が可能となる。更に、第六実施の形態に係る点灯点検器具Ａ６では、これ一本でほとんどの誘導灯Ｙについての点検が可能となる。
なお、本発明に係る点灯点検器具Ａ１〜Ａ６は、誘導灯Ｙについて説明したが、非常灯についても同様に適用出来ること勿論である。
【００５４】
【発明の効果】
以上説明したように、請求項１、２、４、５、８に係る点灯点検器具は、所定の長さに自在に伸びる支持棒の先端部に光源部を設け、この光源が発光することにより、操作部を照射し、操作部全体を発光させて照明の機能を果たさせるようにしたので、第一・第二突状部、球体部、更には挿通杆の位置が解り易く、これにより、誘導・非常灯の点灯点検作業が、懐中電灯や脚立を使用しなくても一人で行なえて作業能率が向上し、作業コストも低廉にでき、しかも、安全に作業ができる。また、誘導灯Ｙがいずれのタイプのものであっても、１つの点灯点検器具Ａ１のみで作業を行うことができ便利であるという効果がある。
【００５５】
請求項３、６に係る点灯点検器具のように、操作部内に空洞部を設けるようにすれば、ＬＥＤ光源が発光すると、光が空洞部内を進んで内周面で反射することから操作部全体が発光されより明るくなるので、第一・第二突状部、球体部、更には挿通杆の位置が解り易く、作業がよりし易くなる。
【００５６】
請求項４、７に係る点灯点検器具のように、球体部内であって空洞部の奥端部と対向する部位と、挿通杆内の先端部から該挿通杆の長手方向に沿いかつ球体部内の空洞部を除いてその反対側まで達する部位に、空洞部と接する光ファイバーを埋設したり、操作部本体内にその長手方向に沿って基端と先端にわたり複数本の光ファイバーを埋設するようにすれば、それら光ファイバーの先端側に光が集中し易く、これにより、前記挿通杆先端部、前記球体部であってその一側面および先端面が一段と良く光り、その位置がさらに解り易くなって作業が行ない易くなる。
【００５７】
請求項９に係る点灯点検器具のように、金属製の挿通杆の外周面に銀メッキを施すようにすれば、、反射輝度が高くてよく光り、その位置がさらに解り易くなって作業が行ない易くなる。
【００５８】
請求項１０に係る点灯点検器具のように、挿通杆の先端部に円錐状部を成形すれば、Ｏリングに挿通し易いばかりか、挿通杆が透明な素材の場合は、挿通杆内を通過してきた光がその円錐状の面から放射されるので、その向きが変わりよく光って位置が解り易く、作業が行い易い。
【００５９】
請求項１１〜１４に係る点検点灯器具は、操作部に点検スイッチ用ひも下端の摘み片の環状部に挿通して操作するための挿通杆と、押ボタン式の点検スイッチを押して操作するための突状部と、一側が開口すると共に内側の幅が前記摘み部の外形寸法よりも小さく設定され前記引き下げ式の点検スイッチ用ひもが挿通されるひも挿通部を設けたので、特に壁面と点検スイッチ用ひもまたは点検スイッチ用ボタンとの間隔が短い誘導・非常灯であっても、これら点検スイッチ用ひもまたはボタンを引いたり押すことができ、これにより幅広くしかも容易に点検作業が行なえる。
【００６０】
請求項１５、１６に係る点灯点検器具も、操作部本体の外周面に庇状に張設されかつ外周端縁が外側へ張り出す弧状に成形される作用板の外周縁に、入り口から奥端部に進む従い漸次幅の狭まりその奥端部に該誘導溝部と連通するひも挿通部を開設した誘導溝部、またはひも挿通部を設けてなるので、壁面と点検スイッチ用ひもとの間隔がことなる場合でも対処でき点検作業が容易に行えるという効果がある。また、この場合、請求項１７に係る点灯点検器具のように、操作部本体内に空洞部を設けるようにすれば、ＬＥＤ光源が発光すると、光が空洞部内を進んで内周面で反射することから操作部全体が発光されより明るくなるので、作業がよりし易くなる。
【図面の簡単な説明】
【図１】第一実施の形態に係る点灯点検器具の要部の斜視図。
【図２】同分解斜視図。
【図３】同断面図。
【図４】同使用状態図。
【図５】同ひも式の点検スイッチを有する誘導・非常灯に対する使用状態図。
【図６】同前面に押ボタン式の点検スイッチを有する誘導・非常灯に対する使用状態図。
【図７】同下面に押ボタン式の点検スイッチを有する誘導・非常灯に対する使用状態図。
【図８】第二実施の形態に係る点灯点検器具の要部の断面図。
【図９】第三実施の形態に係る点灯点検器具の要部の断面図。
【図１０】第四実施の形態に係る点灯点検器具の要部の断面図。
【図１１】第五実施の形態に係る点灯点検器具の要部の斜視図。
【図１２】同要部の断面図。
【図１３】同ひも式の点検スイッチを有する誘導・非常灯に対する使用状態図。
【図１４】同ひも式の点検スイッチを有する誘導・非常灯に対する使用状態図。
【図１５】第六実施の形態に係る点灯点検器具の要部の斜視図。
【図１６】同要部の断面図。
【図１７】同ひも式の点検スイッチを有する誘導・非常灯に対する使用状態図。
【図１８】同下面に押ボタン式の点検スイッチを有する誘導・非常灯に対する使用状態図。
【符号の説明】
１                    支持棒
２                    光源部
３                    操作部
１１                  光源（ＬＥＤ）
１５                  操作部本体
１６                  挿通杆
１７                  円錐状部
１８                  第一突状部
１９                  第二突上部
２０                  空洞部
２１                  操作部
２２                  操作部本体
２３                  球体部
２４                  挿通杆
２５                  円錐状部
２６                  空洞部
２７                  光ファイバー
２８                  操作部
２９                  操作部本体
３０                  球体部
３１                  挿通杆
３２                  円錐状部
３３                  空洞部
３４                  光ファイバー
３５                  保持杆
３６                  操作部
３７                  操作部本体
３８                  球体部
３９                  挿通杆
４０                  円錐状部
４１                  操作部
４２                  操作部本体
４３                  第三突状部
４５                  挿通杆
４７                  作用板
４８                  誘導溝部（誘導大溝部）
５０                  ひも挿通部（ひも挿通孔）
５４                  ひも挿通部（ひも挿通溝）
５５                  操作部
５６                  作用板
５７                  第四突状部
５９                  第五突状部
Ａ１                  第一点灯点検器具
Ａ２                  第二点灯点検器具
Ａ３                  第三点灯点検器具
Ａ４                  第四点灯点検器具
Ａ５                  第五点灯点検器具
Ａ６                  第六点灯点検器具
Ｙ                    誘導灯
ｂ                    点検スイッチ用ひも
ｃ                    Ｏリング
ｄ                    点検スイッチ用ボタン
ｅ                    点検スイッチ用ボタン
【図１】
2004252399.tif 000003
【図２】
2004252399.tif 000004
【図３】
2004252399.tif 000005
【図４】
2004252399.tif 000006
【図５】
2004252399.tif 000007
【図６】
2004252399.tif 000008
【図７】
2004252399.tif 000009
【図８】
2004252399.tif 000010
【図９】
2004252399.tif 000011
【図１０】
2004252399.tif 000012
【図１１】
2004252399.tif 000013
【図１２】
2004252399.tif 000014
【図１３】
2004252399.tif 000015
【図１４】
2004252399.tif 000016
【図１５】
2004252399.tif 000017
【図１６】
2004252399.tif 000018
【図１７】
2004252399.tif 000019
【図１８】
2004252399.tif 000020